(57)【特許請求の範囲】
【請求項１】
利用者を特定するＩＤデータの入力手段と、表示手段と、自動販売機の利用者情報、獲得ポイント数などを管理しているセンター装置と、前記センター装置と通信するための通信手段と、前記入力手段と前記表示手段と前記通信手段に接続された演算制御部とからなり、前記入力手段よりＩＤデータの入力があった時、前記演算制御部は前記通信手段を介してセンター装置に対し、ＩＤデータに対応した利用者情報を取得し、前記表示手段に表示する自動販売機において、貨幣検出選別、商品販売制御、販売情報記憶、各種設定情報記憶等、自動販売機全体を制御する主制御部と、一定時間を計測する入力待機タイマーとを設け、商品購入前に入力手段よりＩＤデータの入力がなかった時、演算制御部は前記主制御部から商品販売の指示があると前記入力待機タイマーの計測を行い、前記入力待機タイマーの計測終了までに、入力手段よりＩＤデータの入力があれば前記通信手段を介してセンター装置に商品販売情報を送信する自動販売機の制御装置。
【発明の詳細な説明】
【０００１】
【発明の属する技術分野】
本発明は、自動販売機からの商品購入毎にポイント加算によるサービスを提供する自動販売機の制御装置に関するものである。
【０００２】
【従来の技術】
近年、自動販売機の制御装置は、商品購入毎に利用者にポイントを付与することにより販売促進を行うものがでてきている。
【０００３】
従来の自動販売機の制御装置としては特開２００１−８４４３７号公報に示されているものがある。これは、ポイントカードにより、商品購入者にポイントを付与できるようにしたものである。また、ポイント付与による販売促進サービスとして、特開平９−１５３０８６号公報にあるように、通信手段を備えてセンター装置にて利用者のポイントを管理し、利用者は会員カードもたせるものもでてきている。
【０００４】
【発明が解決しようとする課題】
しかしながら、上記従来の構成は、利用者はポイントカードまたは会員カードを持っていないとサービスが提供されないという欠点があった。
【０００５】
本発明は、従来の課題を解決するもので、利用者はカードをもたなくてもポイントサービスを受けることができる自動販売機の制御装置を提供することを目的とする。
【０００６】
【課題を解決するための手段】
本発明の請求項１に記載の発明は、利用者を特定するＩＤデータの入力手段と、表示手段と、自動販売機の利用者情報、獲得ポイント数などを管理しているセンター装置と前記センター装置と通信するための通信手段と、入力手段と表示手段と通信手段に接続された演算制御部とからなり、入力手段よりＩＤデータの入力があった時、演算制御部は通信手段を介してセンター装置に対し、ＩＤデータに対応した利用者情報を取得し、表示手段に表示する自動販売機において、貨幣検出選別、商品販売制御、販売情報記憶、各種設定情報記憶等、自動販売機全体を制御する主制御部と、一定時間を計測する入力待機タイマーとを設け、商品購入前に入力手段よりＩＤデータの入力がなかった時、演算制御部は前記主制御部から商品販売の指示があると前記入力待機タイマーの計測を行い、前記入力待機タイマーの計測終了までに、入力手段よりＩＤデータの入力があれば前記通信手段を介してセンター装置に商品販売情報を送信することにより、利用者は商品購入前にＩＤデータの入力を忘れていても、一定時間以内に商品購入後にＩＤデータを入力すればポイントサ
ービスを受けることができるという作用を有する。
【００１２】
【発明の実施の形態】
以下、本発明による自動販売機の制御装置の実施の形態について、図面を参照しながら説明する。
【００１３】
（実施の形態１）
図１は、本発明の実施の形態１によるポイントサービスを行うシステムフローチャートである。図２は、本発明の実施の形態１による自動販売機の制御装置の機能ブロック図である。図３は、同実施の形態の動作を示すフローチャートである。
【００１４】
図１において、１００はポイントサービスを実施する自動販売機、１０１は、利用者情報の管理を行うセンター装置である。利用者は、まず、自動販売機１００に利用者を識別するためのＩＤデータを入力する。自動販売機１００はセンター装置１０１にＩＤデータを送信する。センター装置１０１においては、該当のＩＤデータが登録されているか確認し、利用者名や獲得累計ポイント数などの利用者情報を自動販売機１００に送信する。自動販売機１００では、受信した利用者情報を表示することにより、利用者はＩＤデータの入力ミスがないか確認することができる。利用者情報を確認した利用者が自動販売機１００にて商品を購入すれば、自動販売機１００は、商品を販売し、販売された商品価格や種類などの商品販売情報をセンター装置１０１に送信する。センター装置１０１では、該当利用者のポイント数を加算することによりポイントサービスが実施できる。
【００１５】
以上のポイントサービスのシステムフローチャートにおける自動販売機の制御装置の動作を以下説明する。
【００１６】
図２において、１ａは演算制御部である。２は、貨幣検出選別、商品販売制御、販売情報記憶、各種設定情報記憶等、自動販売機全体を制御する主制御部であり、３は、ポイントサービスの利用者を特定するＩＤデータの入力手段である。４は、利用者に対して各種情報を表示する表示手段である。５は、センター装置１０１と通信するための通信手段である。
【００１７】
以上のように構成された自動販売機の制御装置について、以下その演算制御部１ａの動作を図３のフローチャートを参照して説明する。
【００１８】
ポイントサービスの利用者は、まず、利用者を識別するためのＩＤデータを入力手段３（例えばテンキーボタン）により入力する。演算制御部１ａにおいては、入力手段３からＩＤデータの入力があれば（ＳＴＥＰ１）、通信手段５を介してセンター装置１０１と接続し（ＳＴＥＰ２）、該当ＩＤの利用者名や獲得ポイント数などの利用者情報を取得する（ＳＴＥＰ３）。そして、利用者情報を取得すれば、表示手段４に利用者情報を表示して（ＳＴＥＰ４）、その後、他のＩＤデータ入力待ち（ＳＴＥＰ５）、もしくは主制御部２から商品販売指示待ちとなる（ＳＴＥＰ６）。利用者は、ＳＴＥＰ４で表示された利用者情報が自分とは異なれば入力ミスがわかるので、ＳＴＥＰ５でＩＤデータの再入力を行う。
【００１９】
また、ＳＴＥＰ４で自分と確認できれば商品の購入を行う。ＳＴＥＰ６では主制御部２から商品販売の指示、つまり自動販売機の主制御部２が貨幣の検出選別〜商品販売の動作の指示を確認している。
【００２０】
演算制御部１ａは、ＳＴＥＰ５で再度ＩＤ入力があれば、該当利用者情報の取得を行い、主制御部２から商品販売の指示があればセンター装置１０１に商品販売情報の出力を行い（ＳＴＥＰ７）、該当利用者のポイントが加算されることになる。
【００２１】
以上のように本実施の形態の自動販売機の制御装置は、演算制御部１ａと、貨幣検出選別、商品販売制御、販売情報記憶、各種設定情報記憶等、自動販売機全体を制御する主制御部２と、ポイントサービスの利用者を特定するＩＤデータの入力手段３と、利用者に対して各種情報を表示する表示手段４と、センター装置１０１と通信するための通信手段５から構成されているので、入力手段３よりＩＤデータの入力をすれば通信手段５を介してセンター装置１０１にＩＤデータに対する利用者名、獲得ポイント数を取得し、表示手段４に表示することにより、利用者は、カードなしにポイントサービスを受けることができ、また、ＩＤデータの入力を間違っても、表示手段４に表示された利用者名を確認することにより入力間違いを回避できることになる。また、入力手段４として、テンキーによる入力手段の他に、携帯電話の画面に記憶させたコードを読み取るリーダーや、携帯電話との間での赤外線や無線を利用した通信装置により構成すれば、利用者はＩＤデータを覚えておくことなく容易に利用できるようになる。
【００２２】
（実施の形態２）
図４は、本発明の実施の形態２による自動販売機の制御装置の機能ブロック図である。図５は、同実施の形態の動作を示すフローチャートである。
【００２３】
図４において、１ｂは演算制御部である。６は、演算制御部１ｂ接続され、一定時間を計数しＩＤデータの入力時間を制限する入力制限タイマーである。本実施の形態は、実施の形態１による自動販売機の制御装置に、さらに入力制限タイマー６を設けたものである。
【００２４】
以上のように構成された自動販売機の制御装置について、以下その演算制御部１ｂの動作を図５のフローチャートを参照して説明する。なお、実施の形態１と同一の処理については同一番号を付してその詳細な説明は省略する。
【００２５】
演算制御部１ｂは、ポイントサービスの利用者によるＩＤデータが入力されセンター装置１０１から利用者情報を取得し、表示手段４に表示した後に入力制限タイマー６の計数を開始する（ＳＴＥＰ１１）。他のＩＤデータ入力待ち（ＳＴＥＰ５）、もしくは主制御部２から商品販売指示待ちと（ＳＴＥＰ６）、入力制限タイマーの計数終了を待つ（ＳＴＥＰ１２）。ＳＴＥＰ１２において、一定時間が経過し入力制限タイマーの計数が終了すれば、ＳＴＥＰ１のＩＤデータの入力待ちとなる。
【００２６】
以上のように本実施の形態の自動販売機の制御装置は、演算制御部１ｂと、貨幣検出選別、商品販売制御、販売情報記憶、各種設定情報記憶等、自動販売機全体を制御する主制御部２と、ポイントサービスの利用者を特定するＩＤデータの入力手段３と、利用者に対して各種情報を表示する表示手段４と、センター装置１０１と通信するための通信手段５と、一定時間を計数しＩＤデータの入力時間を制限する入力制限タイマー６とから構成されているので、ＩＤデータ入力後、一定時間商品購入がなければ再度ＩＤデータの入力待ちとすることにより、利用者はカードなしにポイントサービスを受けることができ、また、商品購入者以外の第三者がＩＤデータを入力しておいたまま放置され、商品購入者が商品購入した時に第三者に対してポイントが加算されてしまうことを防ぐことができるようになる。なお、本実施例では入力制限タイマー６は一定時間を計測するタイマーとしたが、計測時間を変更できる構成とすることにより、自販機の利用頻度に応じた運用ができることになる。
【００２７】
（実施の形態３）
図６は、本発明の実施の形態３による自動販売機の制御装置の機能ブロック図である。図７と図８は、同実施の形態の動作を示すフローチャートである。
【００２８】
図６において、１ｃは演算制御部である。７は、演算制御部１ｃ接続され、一定時間を計数し商品購入後ＩＤデータの入力待ち時間を計数する入力待機タイマーである。本実施の形態は、実施の形態１による自動販売機の制御装置に、さらに入力待機タイマー７を設けたものである。
【００２９】
以上のように構成された自動販売機の制御装置について、以下その演算制御部１ｃの動作を図７と図８ののフローチャートを参照して説明する。
【００３０】
演算制御部１ｃは、まずＩＤデータの入力を待ち（ＳＴＥＰ２０１）、入力手段３からＩＤデータの入力がなければ商品販売指示を待つ（ＳＴＥＰ２０５）。ＳＴＥＰ２０１において入力手段３からＩＤデータの入力があれば、通信手段５を介してセンター装置１０１と接続し（ＳＴＥＰ２０２）、該当ＩＤの利用者名や獲得ポイント数などの利用者情報を取得する（ＳＴＥＰ２０３）。そして、利用者情報を取得すれば表示手段４に利用者情報を表示して（ＳＴＥＰ２０４）、主制御部２からの商品販売の指示待ちとなる（ＳＴＥＰ２０５）。主制御部２から商品販売の指示があれば、ＩＤデータが入力されているか確認し（ＳＴＥＰ２０６）、ＩＤデータが入力されていれば、センター装置１０１に商品販売情報の出力を行う（ＳＴＥＰ２１３）。ＳＴＥＰ２０６においてＩＤデータが入力されていなければ、一定時間を計数する入力待機タイマーの計数を開始し（ＳＴＥＰ２０７）、入力待機タイマーの計数の終了（ＳＴＥＰ２０８）か、ＩＤデータの入力されるのを待つ（ＳＴＥＰ２０９）。そして、入力待機タイマーの計数が終了すれば、商品販売情報の出力はしない。ＳＴＥＰ２０９において、計数が終了するまでにＩＤデータが入力されれば、通信手段５を介してセンター装置１０１と接続し（ＳＴＥＰ２１０）、該当ＩＤの利用者名や獲得ポイント数などの利用者情報を取得する（ＳＴＥＰ２１１）。そして、利用者情報を取得すれば表示手段４に利用者情報を表示して（ＳＴＥＰ２１２）、センター装置１０１に商品販売情報の出力を行う（ＳＴＥＰ２１３）。
【００３１】
以上のように本実施の形態の自動販売機の制御装置は、演算制御部１ｃと、貨幣検出選別、商品販売制御、販売情報記憶、各種設定情報記憶等、自動販売機全体を制御する主制御部２と、ポイントサービスの利用者を特定するＩＤデータの入力手段３と、利用者に対して各種情報を表示する表示手段４と、センター装置１０１と通信するための通信手段５と、一定時間を計数し商品購入後ＩＤデータの入力待ち時間を計数する入力待機タイマー７とから構成されているので、利用者は商品購入前にＩＤデータの入力を忘れていても、一定時間以内に商品購入後にＩＤデータを入力すればポイントサービスを受けることができ、また、商品購入者以外の第三者がＩＤデータを入力することにより第三者に対してポイントが加算されてしまうことを防ぐことができるようになる。なお、本実施例では入力待機タイマー７は一定時間を計測するタイマーとしたが、計測時間を変更できる構成とすることにより、自動販売機の利用状況に応じた運用ができることになる。
【００３２】
（実施の形態４）
図９は、本発明の実施の形態４による自動販売機の制御装置の機能ブロック図である。図１０は、同実施の形態の動作を示すフローチャートである。
【００３３】
図９において、１ｄは演算制御部である。８は、ＩＤデータ毎の商品販売情報を記憶する記憶手段である。９は、特定時刻になると通知する時刻タイマーである。本実施の形態は、実施の形態１による自動販売機の制御装置に、さらに記憶手段８と時刻タイマー９を設けたものである。
【００３４】
以上のように構成された自動販売機の制御装置について、以下その演算制御部１ｄの動作を図１０のフローチャートを参照して説明する。なお、実施の形態１と同一の処理については同一番号を付してその詳細な説明は省略する。
【００３５】
演算制御部１ｄは、ポイントサービスの利用者によるＩＤデータが入力されるとセンター装置１０１から利用者情報を取得し、表示手段４に表示した後に、他のＩＤデータ入力待ちと、主制御部２から商品販売の指示待ちとなる。ＳＴＥＰ６において、主制御部２から商品販売の指示があれば、記憶手段８に該当ＩＤデータに対する商品販売情報を記憶する（ＳＴＥＰ３１）。そして、時刻タイマー９から特定時刻に達したことの通知があれば（ＳＴＥＰ３２）、通信手段５を介してセンター装置１０１に記憶手段８に記憶している全てのＩＤデータに対する商品販売情報の出力を行い（ＳＴＥＰ３３）、該当利用者のポイントが加算されることになる。また、ＳＴＥＰ３２において時刻タイマー９から特定時刻に達したことの通知がなければ、センター装置１０１に商品販売情報を出力しない。
【００３６】
以上のように本実施の形態の自動販売機の制御装置は、演算制御部１ｄと、貨幣検出選別、商品販売制御、販売情報記憶、各種設定情報記憶等、自動販売機全体を制御する主制御部２と、ポイントサービスの利用者を特定するＩＤデータの入力手段３と、利用者に対して各種情報を表示する表示手段４と、センター装置１０１と通信するための通信手段５と、ＩＤデータ毎の商品販売情報を記憶する記憶手段８と、特定時刻になると通知する時刻タイマー９とから構成されているので、入力手段３よりＩＤデータの入力をすれば通信手段５を介してセンター装置１０１にＩＤデータに対する利用者名、獲得ポイント数などの利用者情報を取得して表示手段４に表示し、主制御部２から商品販売の指示があると該当ＩＤデータに対する商品販売情報を記憶手段８に記憶し、時刻タイマー９から特定時刻の通知を入力すれば通信手段５を介してセンター装置１０１に記憶手段に記憶している全てのＩＤデータに対する商品販売情報を送信することにより、センター装置１０１との通信を一回で多くの情報を送信することにより通信費用を低減できることになる。なお、本実施例では時刻タイマー９は特定時刻になると通知する時刻タイマーとしたが、通知時刻を変更できる構成とすることにより、個々の自販機の運用に応じた通知時刻が指定できることになる。
【００３７】
（実施の形態５）
図１１は、本発明の実施の形態５による自動販売機の制御装置の機能ブロック図である。図１２は、同実施の形態の動作を示すフローチャートである。
【００３８】
図１１において、１ｅは演算制御部である。８は、ＩＤデータ毎の商品販売情報を記憶する記憶手段である。１０は、特定回数になると通知するカウンターである。本実施の形態は、実施の形態１による自動販売機の制御装置に、さらに記憶手段８とカウンター１０を設けたものである。
【００３９】
以上のように構成された自動販売機の制御装置について、以下その演算制御部１ｅの動作を図１２のフローチャートを参照して説明する。なお、実施の形態１と同一の処理については同一番号を付してその詳細な説明は省略する。
【００４０】
演算制御部１ｅは、ポイントサービスの利用者によるＩＤデータが入力されるとセンター装置１０１から利用者情報を取得し、表示手段４に表示した後に、他のＩＤデータ入力待ちと、主制御部２から商品販売の指示待ちとなる。そしてＳＴＥＰ６において、主制御部２から商品販売の指示があれば、記憶手段８に該当ＩＤデータに対する商品販売情報を記憶し（ＳＴＥＰ４１）、カウンター１０を加算する（ＳＴＥＰ４２）。カウンター１０から特定回数に達したことの通知があれば（ＳＴＥＰ４３）、通信手段５を介してセンター装置１０１に記憶手段８に記憶している全てのＩＤデータに対する商品販売情報の出力を行い（ＳＴＥＰ４４）、該当利用者のポイントが加算されることになる。その後、カウンターの値をクリアする（ＳＴＥＰ４５）。またＳＴＥＰ４３において、カウンター１０から特定回数に達したことの通知がなければ、センター装置１０１に商品販売情報を出力しない。
【００４１】
以上のように本実施の形態の自動販売機の制御装置は、演算制御部１ｅと、貨幣検出選別、商品販売制御、販売情報記憶、各種設定情報記憶等、自動販売機全体を制御する主制御部２と、ポイントサービスの利用者を特定するＩＤデータの入力手段３と、利用者に対して各種情報を表示する表示手段４と、センター装置１０１と通信するための通信手段５と、ＩＤデータ毎の商品販売情報を記憶する記憶手段８と、特定回数になると通知するカウンター１０とから構成されているので、入力手段３よりＩＤデータの入力をすれば通信手段５を介してセンター装置１０１にＩＤデータに対する利用者名、獲得ポイント数などの利用者情報を取得して表示手段４に表示し、主制御部２から商品販売の指示があると該当ＩＤデータに対する商品販売情報を記憶手段８に記憶してカウンター１０を加算し、カウンター１０から特定回数の通知を入力すれば通信手段５を介してセンター装置１０１に記憶手段８に記憶している全てのＩＤデータに対する商品販売情報を送信してカウンター１０をクリアすることにより、センター装置１０１との通信を一回で多くの情報を送信することにより通信費用を低減できることになる。なお、本実施例ではカウンター１０は特定回数になると通知するカウンターとしたが、通知回数を変更できる構成とすることにより、個々の自販機の記憶容量や運用に応じた通知回数が指定できることになる。
【００４２】
（実施の形態６）
図１３は、本発明の実施の形態６による自動販売機の制御装置の機能ブロック図である。図１４は、同実施の形態の動作を示すフローチャートである。
【００４３】
図１３において、１ｆは演算制御部である。１１は、商品販売情報を印字する印字手段である。本実施の形態は、実施の形態１による自動販売機の制御装置に、さらに印字手段１１を設けたものである。
【００４４】
以上のように構成された自動販売機の制御装置について、以下その演算制御部１ｆの動作を図１４のフローチャートを参照して説明する。なお、実施の形態１と同一の処理については同一番号を付してその詳細な説明は省略する。
【００４５】
演算制御部１ｆ、ポイントサービスの利用者によるＩＤデータが入力されると通信手段５を介してセンター装置１０１と交信を行う。センター装置１０１から利用者情報を取得すれば、表示手段４に表示した後に、他のＩＤデータ入力待ちと、主制御部２から商品販売の指示待ちとなる。ＳＴＥＰ３において利用者情報の入力待ち状態において、ＳＴＥＰ５１にて通信手段からセンター装置１０１との通信回線異常を検出し、利用者情報を取得できなければ、利用者情報を表示せず他のＩＤデータ入力待ち（ＳＴＥＰ５）と、主制御部２から商品販売の指示待ち（ＳＴＥＰ６）となる。そして、主制御部２から商品販売の指示があり、センター装置１０１との交信異常が発生していなければ（ＳＴＥＰ５２）、通信手段５を介してセンター装置１０１に商品販売情報の出力を行い（ＳＴＥＰ７）、該当利用者のポイントが加算される。ＳＴＥＰ５２においてセンター装置１０１との交信異常が発生していれば（ＳＴＥＰ５２）、印字手段１１に商品販売情報を出力し（ＳＴＥＰ５３）、商品販売情報が印字される。
【００４６】
以上のように本実施の形態の自動販売機の制御装置は、演算制御部１ｆと、貨幣検出選別、商品販売制御、販売情報記憶、各種設定情報記憶等、自動販売機全体を制御する主制御部２と、ポイントサービスの利用者を特定するＩＤデータの入力手段３と、利用者に対して各種情報を表示する表示手段４と、センター装置１０１と通信するための通信手段５と、商品販売情報を印字する印字手段１１とから構成されているので、通信回線の障害によりセンター装置１０１との交信ができない場合、主制御部２からの商品販売の指示があると印字手段１１により商品販売情報を出力することにより、通信手段５の障害によりセンター装置１０１と交信できなくても、ポイント獲得を証明する帳票を出力することによりポイントサービスを継続してできるようになる。
【００４７】
【発明の効果】
以上説明したように請求項１記載の発明は、利用者を特定するＩＤデータの入力手段と、表示手段と、自動販売機の利用者情報、獲得ポイント数などを管理しているセンター装置と、前記センター装置と通信するための通信手段と、前記入力手段と前記表示手段と前記通信手段に接続された演算制御部とからなり、前記入力手段よりＩＤデータの入力があった時、前記演算制御部は前記通信手段を介してセンター装置に対し、ＩＤデータに対応した利用者情報を取得し、前記表示手段に表示する自動販売機において、貨幣検出選別、商品販売制御、販売情報記憶、各種設定情報記憶等、自動販売機全体を制御する主制御部と、一定時間を計測する入力待機タイマーとを設け、商品購入前に入力手段よりＩＤデータの入力がなかった時、演算制御部は前記主制御部から商品販売の指示があると前記入力待機タイマーの計測を行い、前記入力待機タイマーの計測終了までに、入力手段よりＩＤデータの入力があれば前記通信手段を介してセンター装置に商品販売情報を送信することにより、利用者はカードなしにポイントサービスを受けることができるとともに、利用者は商品購入前にＩＤデータの入力を忘れていても、一定時間以内に商品購入後にＩＤデータを入力すればポイントサービスを受けることができ、利用者の利便性を高めることができる。
【図面の簡単な説明】
【図１】本発明のポイントサービスを行うシステムフローチャート
【図２】本発明による自動販売機の制御装置の実施の形態１のブロック図
【図３】同実施の形態の自動販売機の制御装置の動作を示すフローチャート
【図４】本発明による自動販売機の制御装置の実施の形態２のブロック図
【図５】同実施の形態の自動販売機の制御装置の動作を示すフローチャート
【図６】本発明による自動販売機の制御装置の実施の形態３のブロック図
【図７】同実施の形態の自動販売機の制御装置の動作を示すフローチャート
【図８】同実施の形態の自動販売機の制御装置の動作を示すフローチャート
【図９】本発明による自動販売機の制御装置の実施の形態４のブロック図
【図１０】同実施の形態の自動販売機の制御装置の動作を示すフローチャート
【図１１】本発明による自動販売機の制御装置の実施の形態５のブロック図
【図１２】同実施の形態の自動販売機の制御装置の動作を示すフローチャート
【図１３】本発明による自動販売機の制御装置の実施の形態６のブロック図
【図１４】同実施の形態の自動販売機の制御装置の動作を示すフローチャート
【符号の説明】
１a、１ｂ、１ｃ、１ｄ、１ｅ、１ｆ  演算制御部
２  主制御部
３  入力手段
４  表示手段
５  通信手段
６  入力制限タイマー
７  入力待機タイマー
８  記憶手段
９  時刻タイマー
１０  カウンター
【図１】
0004186439.tif 000002
【図２】
0004186439.tif 000003
【図３】
0004186439.tif 000004
【図４】
0004186439.tif 000005
【図５】
0004186439.tif 000006
【図６】
0004186439.tif 000007
【図７】
0004186439.tif 000008
【図８】
0004186439.tif 000009
【図９】
0004186439.tif 000010
【図１０】
0004186439.tif 000011
【図１１】
0004186439.tif 000012
【図１２】
0004186439.tif 000013
【図１３】
0004186439.tif 000014
【図１４】
0004186439.tif 000015